(57)【特許請求の範囲】
【請求項１】
少なくとも５つの別個の映画サウンドトラックチャンネルを保持する媒体であって、前記別個のチャンネルが２つの別個の環境音チャンネルを含み、前記２つの別個の環境音チャンネルが３、４又は５環境音マトリックス符号化されたチャンネルを保持するサウンドトラック保持媒体。
【請求項２】
前記別個の映画チャンネルがデジタルフォーマットの形で前記媒体に保持される、請求項１の媒体。
【請求項３】
前記媒体は、デジタル情報を表わす光学的に記録されたシンボルを有する映画フィルムであり、該デジタル情報がまた前記別個の映画サウンドトラックチャンネルを表わす、請求項２の媒体。
【請求項４】
前記媒体は、表面にデジタル情報を表わすくぼみが刻印された光学ディスクであり、該デジタル情報がまた前記別個の映画サウンドトラックチャンネルを表わす、請求項２の媒体。
【請求項５】
前記光学ディスクがコンパクトディスクである、請求項４の媒体。
【請求項６】
前記媒体が、デジタル情報を表わす磁気的に方向付けられた粒子を有する磁気光学ディスクであり、該デジタル情報がまた前記別個の映画サウンドトラックチャンネルを表わす、請求項２の媒体。
【請求項７】
前記媒体が、デジタル情報を表わす磁気的に方向付けられた粒子を有する磁気テープであり、該デジタル情報がまた前記別個の映画サウンドトラックチャンネルを表わす、請求項２の媒体。
【請求項８】
前記別個の映画サウンドトラックチャンネルがアナログフォーマットの形で前記媒体に保持される、請求項１の媒体。
【請求項９】
前記媒体が、アナログ情報を表わす磁気的に方向付けられた粒子のトラックを有する１つ又はそれ以上の磁化できる被覆物を有する映画フィルムであり、各トラックが別個の映画サウンドトラックを保持する、請求項８の媒体。
【請求項１０】
前記媒体が、アナログ情報を表わす磁気的に方向付けられた粒子のトラックを有する磁気テープであり、各トラックが別個の映画サウンドトラックを保持する、請求項８の媒体。
【請求項１１】
２つの別個の環境音チャンネルがマトリックス復号することなく再生されると、両立性再生のために前記環境音チャンネルがマトリックス符号化される、請求項１乃至１０のいずれか１つの媒体。
【請求項１２】
少なくとも３つの主スクリーンサウンドチャンネル及び３乃至５の環境音チャンネルにつきそれぞれサウンド情報をミキシングし、
前記３、４又は５環境音チャンネルを２つのマトリックス符号化された環境音チャンネルにマトリックス符号化し、
前記少なくとも３つの主スクリーンサウンドチャンネル及びそれぞれの別個のサウンドトラックチャンネルの前記２つのマトリックス符号化された環境音チャンネルを記録することから成る映画サウンドトラックチャンネルを記録する方法。
【請求項１３】
デジタルオーディオ流れから得られる映画サウンドトラックを再生する方法において、２つ別個のチャンネルのみが環境音チャンネルである別個のチャンネルのみを与えるように設計されたデジタル映画サウンドトラックシステムのフォーマット以内で３つ以上の環境音チャンネルが与えられる方法であって、
少なくとも５つの別個の映画サウンドトラックチャンネル（Ｌ，Ｃ，Ｒ，ＬＳ，ＲＳ又はＬ，ＬＣ，Ｃ，ＲＣ，Ｒ，ＬＳ，ＲＳ）を受容し、前記別個の映画サウンドトラックチャンネルが２つの映画環境音サウンドトラック（ＬＳ，ＲＳ）を含み、前記２つの別個の映画環境音サウンドトラックチャンネルが３つ（ＬＳ，ＣＳ，ＲＳ）、４つ（ＬＦＳ，ＬＲＳ，ＲＦＳ，ＲＲＳ）又は５つ（ＬＦＳ，ＬＲＳ，ＣＳ，ＲＦＳ，ＲＲＳ）の環境音マトリックス符号化されたサウンドトラックチャンネルを含むようにし、
３つ、４つ又は５つのマトリックス復号された環境音サウンドトラックを与えるために、前記２つの別個の環境音サウンドトラックチャンネルをマトリックス復号することによって前記映画サウンドトラックチャンネルを処理することから成る映画サウンドトラック再生方法。
【請求項１４】
マトリックス復号によって前記映画サウンドトラックチャンネルを処理する段階が能動的マトリックス復号を用いることをさらなる特徴とする、請求項１３の方法。
【請求項１５】
マトリックス復号によって前記映画サウンドトラックチャンネルを処理する段階が、１つ又はそれ以上の左後環境音（ＬＳ）再生器、１つ又はそれ以上の中央後環境音（ＣＳ）再生器及び１つ又はそれ以上の右後環境音（ＲＳ）再生器に用いることが意図された３つのマトリックス復号された環境音サウンドトラックチャンネルを与えることをさらなる特徴とする、請求項１３又は１４の方法。
【請求項１６】
マトリックス復号によって前記映画サウンドトラックチャンネルを処理する段階が、１つ又はそれ以上の左後環境音（ＬＲＳ）再生器、１つ又はそれ以上の左前環境音（ＬＦＳ）再生器、１つ又はそれ以上の右前環境音（ＲＦＳ）再生器及び１つ又はそれ以上の右後環境音（ＲＲＳ）再生器に用いることが意図された４つのマトリックス復号された環境音サウンドトラックチャンネルを与えることをさらなる特徴とする、請求項１３又は１４の方法。
【請求項１７】
マトリックス復号によって前記映画サウンドトラックチャンネルを処理する段階が、１つ又はそれ以上の左後環境音（ＬＲＳ）再生器、１つ又はそれ以上の左前環境音（ＬＦＳ）再生器、１つ又はそれ以上の中央後環境音（ＣＳ）再生器、１つ又はそれ以上の右前環境音（ＲＦＳ）再生器及び１つ又はそれ以上の右後環境音（ＲＲＳ）再生器に用いることが意図された５つのマトリックス復号された環境音サウンドトラックチャンネルを与えることをさらなる特徴とする、請求項１３又は１４の方法。
【請求項１８】
マトリックス復号によって前記映画サウンドトラックチャンネルを処理する段階が、１つ又はそれ以上の左後環境音（ＬＲＳ）再生器、１つ又はそれ以上の左前環境音（ＬＦＳ）再生器、１つ又はそれ以上の中央後環境音（ＣＳ）再生器、１つ又はそれ以上の右前環境音（ＲＦＳ）再生器及び１つ又はそれ以上の右後環境音（ＲＲＳ）再生器に用いることが意図された５つの環境音サウンドトラックチャンネルを与えることをさらなる特徴とする、請求項１３又は１４の方法。
【請求項１９】
請求項１２記載の映画サウンドトラックチャンネルを記録する方法を用いた記録段階と、請求項１３乃至１８のいずれか１つの請求項記載の映画サウンドトラックチャンネル再生方法を用いた再生段階を含む映画サウンドトラックチャンネル記録再生方法。
【請求項２０】
少なくとも５つの別個の映画サウンドトラックチャンネルを記録するサウンドトラックレコーダから成る映画サウンドトラック記録装置であって、前記別個のチャンネルが２つの環境音チャンネルを含み、前記２つの別個の環境音チャンネルが３つ、４つ又は５つの環境音マトリックス符号化されたチャンネルを保持する映画サウンドトラック記録装置。
【請求項２１】
少なくとも５つの別個の映画サウンドトラックチャンネルに保持される映画サウンドトラックを再生する装置において、前記別個のチャンネルが２つの環境音チャンネルを含み、前記２つの別個の環境音チャンネルが３つ、４つ又は５つの環境音マトリックス符号化されたチャンネルを含む映画サウンドトラック再生装置であって、
前記５つの別個の映画サウンドトラックチャンネルを再生するサウンドトラック再生器と、
前記２つの環境音チャンネル以外の前記別個のサウンドトラックチャンネルの各々に関する音声再生経路と、
３つ、４つ又は５つのマトリックス復号された環境音チャンネルを与えるために前記２つの環境音チャンネルを受容するマトリックスデコーダと、
前記マトリックス復号された環境音チャンネルの各々に関する音声再生経路とから成る映画サウンドトラック再生装置
【請求項２２】
前記マトリックス復号された環境音チャンネルの各々に関する音声再生経路が左後環境音再生経路、中央後環境音再生経路及び右後環境音再生経路を含む、請求項２１の装置。
【請求項２３】
前記マトリックス復号された環境音チャンネルの各々に関する音声再生経路が左後環境音再生経路、左前環境音再生経路、右前環境音再生経路及び右後環境音再生経路を含む、請求項２１の装置。
【請求項２４】
前記マトリックス復号された環境音チャンネルの各々に関する音声再生経路が左後環境音再生経路、左前環境音再生経路、中央後環境音再生経路、右前環境音再生経路及び右後環境音再生経路を含む、請求項２１の装置。
【請求項２５】
請求項２０記載の映画サウンドトラック記録装置と、請求項２１乃至２４のいずれか１つの請求項記載の映画サウンドトラック再生装置を含む映画サウンドトラック記録及び再生装置。
【発明の詳細な説明】
【０００１】
【産業上の利用分野】
本発明はマルチチャンネルオーディオ分野に関する。特に、本発明は映画サウンドトラック用の概して別個のデジタルサウンドフォーマットのマトリックス符号化された環境音チャンネルに関する。
【０００２】
【発明の背景】
映画用光学サウンドトラックは今世紀初頭初めて実際に提示され、１９３０年代以降映画と共に音声を提供する最も一般的な方法になっている。最新のシステムでは、フィルムを通した透過光がサウンドトラック幅の変化によって変調され、そこでは理想的に透明なサウンドトラックの変化する幅が理想的に不透明な環境以内に位置付けられる。この種のサウンドトラックは「可変面積」として知られる。
【０００３】
サウンドトラック幅をおおう不均一な光によるひずみ及びその他の幾何学的歪成分を低減させるために「両側性」可変面積トラックが導入された。このフォーマットは２つの変調された端、即ち、固定された中心線の周りに同一鏡像を有する。その後開発された、現標準モノラルアナログ光学サウンドトラックフォーマットは、「２重両側性」サウンドトラックと呼ばれる。このフォーマットは同一サウンドトラック内に２つの両側性要素を有し、従って、照明の不均一性誤差に対するさらなる免疫を与える。光学サウンドトラックの歴史及び可能性についての有用な論議は、イオアンアレン(Ioan Allen)による「ドルビー雑音抑制システムを用いる低歪光学サウンドトラック」（J. SMPTE, September 1975, Volume 84, pages 720-729）で入手し得る。１９７０年代の中ごろにはステレオ可変面積（ＳＶＡ）トラックがますます普及し、そこでは独立して変調された２つの両側性サウンドトラックが、通常のモノラル可変面積トラックと同一領域に並べて設けられた。
【０００４】
１９７６年に、ドルビー社はドルビーステレオの４チャンネルステレオ光学バージョンを導入した。そこでは、２つのＳＶＡトラックで４チャンネルサウンドを保持するためにオーディオマトリックス符号化及び復号が用いられた。“Ｄｏｌｂｙ”及び“Ｄｏｌｂｙ Ｓｔｅｒｅｏ”はドルビー・ラボラトリーズ・ライセンシング・コーポレーション（ Dolby Laboratories Licensing Corporation ）の商標である。ＳＶＡ光学トラック用Ｄｏｌｂｙ Ｓｔｅｒｅｏは“ＭＰ”マトリックス、即ち、２つのＳＶＡトラックに４つの音源チャンネル（左、右、中央及び環境）を記録しかつ４チャンネルを再生する４：２：４マトリックス型を用いる。原Ｄｏｌｂｙ Ｓｔｅｒｅｏステレオ光学フォーマットではＤｏｌｂｙＡ型アナログオーディオ雑音抑制が用いられたが、１９８０年代中頃にドルビー社は改良されたアナログオーディオ処理システム、即ち、Ｄｏｌｂｙ ＳＲを導入し、それが現在Ｄｏｌｂｙ Ｓｔｅｒｅｏステレオ光学サウンドトラックフィルムで用いられている。
【０００５】
多重チャンネル映画音声は、少なくとも「ファンタサウンド」と同程度に早くから用いられ、そこでは映画ファンタジア（Ｆａｎｔａｓｉａ）の４チャンネルサウンドトラックが、映画伝送フィルムと同期された別フィルムのそれぞれの光学トラックに保持された。その後１９５０年代に、各種の「磁気テープ（ストライプ）」技術が導入され、そこでは多重チャンネル音声が画像伝送フィルムに取り付けられた磁化可能材料の別個のトラックに記録された。概して、磁気テープを付けた３５ｍｍフィルムが３又は４個の独立サウンドトラックを保持し、同時に磁気テープを付けた７０ｍｍフィルムが６個の独立サウンドトラックを保持した。
【０００６】
磁気テープを付けたサウンドトラックを有する大抵の映画フィルムは各磁気トラックに別のチャンネルを保持したが、１９７０年代中頃に封切られた少なくとも１つのフィルム（Tommy in"Quintaphonic"sound）ではマトリックス符号化、即ち、通常左及び右トラックが左前方、左後方、右前方及び右後方サウンドチャンネルで符号化されるものが用いられた。第３中央チャンネルは依然として別のままであった。位相に敏感なマトリックスシステムは、マトリックス符号化されたトラック間の位相変化によりふらつくサウンドイメージ（音像）に悩まされた。
【０００７】
映画８０日間世界一周（Around the World in Eighty Days）の一部のプリントで用いられたパースペクタサウンド（PerspectaSound）の変形では、３５ｍｍの４個の磁気トラックがそれぞれ左、中央、右及び環境チャンネル情報を保持した。環境音情報に加えて、第４トラックは環境音を３つの環境音スピーカバンクの選択されたバンクに環境音を方向付ける副可聴音声を保持した。パースペクタサウンドの初期形式では、スクリーン背後の選択されたスピーカに音声を方向付けるためにモノラルサウンドトラックに副可聴音声が用いられた。
【０００８】
磁気テープ付きフィルムは、Ｄｏｌｂｙ  Ｓｔｅｒｅｏ３５ｍｍ光学フォーマットの導入後すたれた。
【０００９】
１９７０年代に導入されたＤｏｌｂｙ  Ｓｔｅｒｅｏの他のバージョンでは、磁気テープ付き７０ｍｍ映画フィルムの６個の独立オーディオトラックの４つにＤｏｌｂｙ雑音抑制が用いられた。このＤｏｌｂｙ  Ｓｔｅｒｅｏフォーマットの特徴としては、トラック１及び２（フィルムの左端と、左手スプロケット穴との間に位置する磁気テープに記録される）は、それぞれ左主スクリーンチャンネル及び低周波のみの「バス拡大」情報を保持し、トラック３（左手スプロケット穴と、画像との間に位置する磁気テープに記録される）は、中央主スクリーンチャンネルを保持し、トラック４（画像と、右手スプロケット穴との間に位置する磁気テープに記録される）もまた、低周波のみの「バス拡大」情報を保持し、トラック５及び６（右手スプロケット穴と、フィルムの右端との間に位置する磁気テープに記録される）は、それぞれ右主スクリーンチャンネル及び単一環境音チャンネルを保持する。Ｄｏｌｂｙ雑音抑制はバス拡大情報には用いられない。
【００１０】
７０ｍｍ磁気サウンドトラック映画フィルム用Ｄｏｌｂｙ  Ｓｔｅｒｅｏの変形では、１つの環境チャンネル（「分割環境」又は「ステレオ環境」と呼ばれる）の代わりに２つの環境チャンネルが与えられる。トラック１、３、５及び６は従来のＤｏｌｂｙ  Ｓｔｅｒｅｏ７０ｍｍと同一であるが、トラック２には、低周波バス情報と共に中及び高周波左環境情報が記録され（Ｄｏｌｂｙ雑音抑制と共に）、トラック４には、低周波数バス情報と共に中及び高周波右環境情報が記録される（Ｄｏｌｂｙ雑音抑制と共に）。劇場で再生されると、トラック２及び４の中及び高周波ステレオ環境情報は、それぞれトラック６からのモノラル環境バス情報と結合された左及び右環境スピーカに供給される。Ｄｏｌｂｙ  Ｓｔｅｒｅｏ７０ｍｍのこの変形は、現在一般的な「５．１」チャンネル（時には６チャンネルと呼ばれる）構成、即ち、左、中央及び右主スクリーンチャンネル、左及び右環境チャンネル並びに低周波バス拡大（ＬＦＥ）又はサブウーファチャンネルの早期の形であった。他の全帯域幅チャンネルよりも遥かに少ない情報を保持するＬＦＥチャンネルは、現在は「.１」チャンネルと呼ばれる。
【００１１】
アナログサウンドトラック忠実度のこれらの利点にもかかわらず、７０ｍｍ磁気サウンドトラックフィルムの高コスト及び３５ｍｍ光学サウンドフィルムに用いられるマトリックス技術の知覚的限界のために、フィルムサウンドトラックは長い間デジタル符号化の候補と考えられてきた。１９９２年に、ドルビー社は３５ｍｍフィルム用にＤｏｌｂｙ  Ｄｉｇｉｔａｌ（ドルビーデジタル）光学サウンドトラックフォーマットを導入した。Ｄｏｌｂｙ  Ｄｉｇｉｔａｌは、ドルビー社の商標である。５.１チャンネル（左、中央、右、左環境及び左ＬＦＥ）サウンドトラック情報は、ドルビー社のＡＣ-３知覚符号化構成を用いて符号化される。その符号化された情報がまた、フィルムの一方側に沿ったフィルムのスプロケット穴間に光学的に印刷されたシンボルのブロックとして符号化される。アナログＳＶＡトラックは両立性のため保有される。Ｄｏｌｂｙ  Ｄｉｇｉｔａｌ３５ｍｍフィルムフォーマットの詳細は米国特許第５，５４４，１４０号、５，７１０，７５２号及び５，７５７，４６５号に記載される。Ｄｏｌｂｙ  ＡＣ-３知覚符号化構成の基本的要素は、米国特許第５，５８３，９６２号に記載される。Ｄｏｌｂｙ  ＡＣ-３の実際的な実施上の詳細は、米国テレビシステム委員会（ＡＴＳＣ）、「デジタルオーディオ圧縮標準（ＡＣ-３）」の１９９５年１２月２０付文書Ａ/５２（インターネットの世界的ウエブ＜www.atsc.org＞で入手可能）に記載される。概してＤｏｌｂｙ  Ｄｉｇｉｔａｌシステムは、７０ｍｍ磁気サウンドトラックフィルムのチャンネル分離性を与えると同時に３５ｍｍ光学サウンドトラックフィルムの低コスト及び両立性を保つ。
【００１２】
その後１９９３年に、ソニーが３５ｍｍ映画フィルム用Ｓｏｎｙ  Ｄｙｎａｍｉｃ  Ｄｉｇｉｔａｌ  Ｓｏｕｎｄ（ＳＤＤＳ）を導入した。ＳＤＤＳシステムでは、「７.１」チャンネル（時には８チャンネルと呼ばれる）（左、左中央、中央、右中央、右、左環境、右環境及びＬＥＦ）サウンドトラック情報が、ソニーのＡＴＲＡＣ知覚符号化の形を用いてデジタル符号化される。その符号化された情報がまた、フィルム各端及び至近のスプロケット穴間に光学的に印刷されたシンボルのストリップ（帯状片）として符号化される。Ｓｏｎｙ、Ｓｏｎｙ  Ｄｙｎａｍｉｃ  Ｄｉｇｉｔａｌ  Ｓｏｕｎｄ、ＳＤＤＳ及びＡＴＲＡＣは商標である。Ｓｏｎｙ  ＳＤＤＳシステムの一部詳細が米国特許第５，５５０，６０３号、５，６００，６１７号及び５，６３９，５８５号に記載される。
【００１３】
同様に１９９３年に、デジタル・シアター・システム・コーポレーション（ＤＳＴ）が独立媒体デジタルサウンドトラックシステムを導入した。そこでは、画像を５.１チャンネルサウンドトラック情報（左、中央、右、左環境、右環境及びＬＥＦ）を有する一種の知覚符号化を用いて符号化されたＣＤ-ＲＯＭと画像とを同期させるために、３５ｍｍ映画フィルムはタイムコードトラックを保持する。ＤＳＴは商標である。ＤＳＴシステムの一部詳細が、米国特許第５，１５５，５１０号、５，３８６，２５５号、５，４５０，１４６号及び５，４５１，９４２号に記載されている。
【００１４】
Ｄｏｌｂｙ  Ｄｉｇｉｔａｌ、Ｓｏｎｙ  ＳＤＤＳ及びＤＳＴシステムのさらなる詳細は、ラリーブレーク（Larry Blake）による「映画におけるデジタルサウンド」（Mix, October 1995, pp.116, 117,119,121, and 122）記載されている。
【００１５】
;7=8///&N0001=20&N0552=9&N0553=000004">図１は、Ｄｏｌｂｙ Ｄｉｇｉｔａｌ又はＤＳＴ５.１チャンネルシステムを用いる典型的劇場１０に関する理想化されたスピーカの配置を示す。左チャンネルサウンドトラックＬは左スピーカ１２に用いられ、中央チャンネルサウンドトラックＣは中央スピーカ１４に用いられ、右チャンネルサウンドトラックＲは右スピーカ１６に用いられる。それらのスピーカのすべてが映画スクリーン１８の背後に位置付けられる。これらは主スクリーンチャンネルと呼ばれ得る。左環境チャンネルＬＳは、劇場の左壁２２の背後部分に示される左環境スピーカ２０に用いられる。右環境チャンネルＲＳは、劇場の右壁２６の背後部分に示される右環境スピーカ２４に用いられる。通常実施では、複数の左環境スピーカが、劇場の前後間の約中間位置から始まって背面壁２８まで伸び、次いで背面壁に沿ってその中央位置付近まで延びる。右環境スピーカは、左環境スピーカ配置の鏡像の形で右側壁及び背面壁に沿って配置される。さらに、無指向性低周波音声を伝える低周波効果（ＬＦＥ）、即ち、サブウーファスピーカ（図示せず）が通常スクリーン１８の後方に配置されるが、任意の位置に配置され得る。簡単のために、どの図にもＬＦＥ又はサブウーファは示されていない。
【００１６】
図２は、Ｓｏｎｙ  ＳＤＤＳ７.１チャンネルシステムを用いる典型的な劇場１０に関する理想化されたスピーカは配置を示す。Ｓｏｎｙ  ＳＤＤＳシステムが２つの追加の主スクリーンチャンネル、即ち、左中央スピーカ１３に用いられる左中央チャンネルＬＣ及び右中央スピーカ１５に用いられる右中央チャンネルＲＣを与えることを除けば、配置はＤｏｌｂｙ及びＳＤＤＳに関して図１に示されたものと同一である。
【００１７】
３つのデジタル映画音声システムのすべては、少なくとも３つの別個の主スクリーンチャンネル及び２つの別個の環境音チャンネルを与える。大抵の多重チャンネル音声映画の製作者及びその聴取者を満足させるためには２つの環境音チャンネルで十分であるが、それにもかかわらず、幾つかの映画に関しては３チャンネル以上の環境音が所望される。
【００１８】
３チャンネル以上の環境音に関する欲求は、７.１チャンネルＳｏｎｙ  ＳＤＤＳシステムに追加の環境音チャンネルを与える研究方法を開示する、２つの関連特許（米国特許第５，６０２，９２３号及び第５，７１７，７６５号）で扱われている。同特許は、ＳＤＤＳシステムが、８チャンネルの情報を得るために現映画技術の帯域幅限界を押し上げ、かつ主又は環境チャンネル帯域幅が犠牲にされない限り、追加のトラックは従来の映画フィルムで利用可能な実際的な現帯域幅を超えていることを指摘している。
【００１９】
【発明が解決すべき課題】
第５，６０２，９２３号及び第５，７１７，７６５号特許は、通常の左環境及び右環境スピーカからのそれぞれの環境チャンネル情報のすべて又はその一部分を聴取者及び映画スクリーン上方のスピーカに方向づけるために、１つ又はそれ以上の非常高い高周波音声を左環境及び右環境チャンネルに加えている。しかし、この方法の欠点は、３つ以上の各環境音スピーカバンクからは異なった環境音チャンネルを同時に再生できないことである。言い換えると、たとえ環境音チャンネルを再生するスピーカ位置が変化され得ても、一度に可能なのはこれらの内２チャンネルのみに過ぎない。
【００２０】
従って、Ｄｏｌｂｙ  Ｄｉｇｉｔａｌ、Ｓｏｎｙ  ＳＤＤＳ及びＤＳＴデジタルサウンドトラックシステムの現フォーマット以内で３つ以上の環境音チャンネルを与える必要性はまだ満たされていない。
【００２１】
【課題を解決するための手段】
本発明の目的は、２つの環境音チャンネルのみを与えるように設計されたデジタルサウンドトラックシステムのフォーマット以内で、３つ以上の環境音チャンネルを与えることである。
【００２２】
本発明の目的は、フィルム又は画像と同期される他の媒体に記録されようとされまいと、２つの環境音チャンネルのみを与えるように設計されたデジタルサウンドトラックシステムのフォーマット以内で、３つ以上の環境音チャンネルを与えることである。
【００２３】
本発明の他の目的は、２つの環境音チャンネルのみを与えるように設計されたデジタルサウンドトラックシステムの同一デジタルオーディオ流れの範囲内で、３つ以上の環境音チャンネルを与えることである。
【００２４】
本発明の別の目的は、２環境音チャンネル再生用の現存する再生装置の能力が変化されないように、２つの環境音チャンネルのみを与えるように設計されたデジタルサウンドトラックシステムで３つ以上の環境音チャンネルを与えることである。
【００２５】
本発明の他の目的は、２つの環境音チャンネルのみを与えるように設計されたデジタルサウンドトラックシステムのフォーマット以内で、デジタルサウンドトラックを保持する媒体が変化されないように、３つ以上の環境音チャンネルを与えることである。
【００２６】
本発明のなお別の目的は、マトリックス符号化及び復号のクロストークに比較的影響されない環境音映画チャンネル関してのみマトリックス符号化及び復号を用いることである。
【００２７】
本発明のなおさらなる目的は、クロストークが望ましくないところでは主スクリーン音声チャンネルに別個のサウンドトラックを用いるが、人の耳の後方指向特性のためにクロストークがより受容可能な環境音サウンドトラックチャンネルにはマトリックス符号化を用いることである。
【００２８】
本発明のなおさらなる目的は、クロストークが望ましくないところでは主スクリーン音声チャンネルに別個のサウンドトラックを用いるが、クロストークが比較的無害な隣接象限内の環境音チャンネルスピーカ位置のためにクロストークがより受容可能な環境音サウンドトラックチャンネルにはマトリックス符号化を用いることである。
【００２９】
本発明のなおさらなる目的は、２環境音チャンネルのみを保持するのに要する密度を超えて光学シンボルの密度を増加させることなく、映画フィルムに印刷された光学シンボルとしてデジタル情報を保持するデジタル映画サウンドトラックシステムの形で３つ以上の環境音チャンネルを与えることである。
【００３０】
これらの目的は、それぞれ請求項１記載の媒体、請求項１２の記録方法、請求項１３の再生方法、請求項２０の記録装置、請求項２１の再生装置及び請求項２６の信号によって達成される。
【００３１】
本発明によると、２つの環境音チャンネルのみを与えるように設計されたデジタルサウンドトラックシステムのフォーマット以内で、３つ以上の環境音チャンネルが与えられる。２つの環境音チャンネルのみを与えるように設計されたデジタルサウンドトラックシステムのデジタルオーディオ流れは変化されずに残り、従って現存する再生装置との両立性が与えられる。さらに、デジタルサウンドトラックを保持する媒体のフォーマットは変化されない。Ｄｏｌｂｙ Ｄｉｇｉｔａｌ及びＳｏｎｙ ＳＤＤＳシステムの場合では、映画フィルムに印刷されたシンボルを保持するデジタル情報は変化されずに残る。即ち、シンボル又は「ビット」サイズが低減される必要はない。Ｄｏｌｂｙ Ｄｉｇｉｔａｌ及びＳｏｎｙ ＳＤＤＳシステムの双方において、光学的に記録されるシンボルはデジタル情報を表し、そのデジタル情報がまた別個の映画サウンドトラックチャンネルを表す。理論的には、より多くのビットを与えて同一の物理的領域により多くのデータを記憶し得るようにさせるために、シンボルサイズを低減させることによって追加のチャンネルが伝送され得るが、そのような低減ではプリント処理で望ましくない困難性が導入されて現場のレコーダ及びプレーヤ装置の実質的改変を要するであろう。（同様に、ドルビー社は、結果的に生じるあらゆる技術的及び経済的問題と共に、フィルムの反対側にデータを設ける研究方法は拒否した。）従って、往復共に完全な両立性が保たれる。
【００３２】
さらに、デジタルサウンドトラックシステムの分離性は、特に、能動的マトリックス復号が用いられるならば、環境音チャンネルにマトリックス技術を用いることによって聴取可能に縮小されることはない。前方発生音の感度と比較して後方発生音に関する人の耳の相対的無感覚性は、さもなければ別個のチャンネル再生システムでの環境音チャンネルに関してマトリックス符号化の使用を高度に受容可能なものにさせる（頭後方の環境音チャンネル間クロストークはすべて聴取者によって知覚されそうもない。さらに、同一の隣接象限内チャンネル間クロストークは、例えば、ＬＣＲＳマトリックスシステムの対話保持中央チャンネルから環境チャンネルへのクロストークより受容され得る）。
【００３３】
本発明のこれら及び他の目的、利点並びに特徴は、本明細書、図面及び請求の範囲を考察することによって当業者には明らかになるであろう。
【００３４】
本発明の面には、１）映画フィルム、磁気テープ、光学ディスク又は２つの別個の環境音チャンネルが３乃至５の環境音チャンネルで符号化される別個の映画サウンドトラックを保持する磁気光学ディスクのようなデジタル又はアナログフォーマット媒体と、２）少なくとも３つの主チャンネルが別個のサウンドトラックに記録され、３ないし５の環境音チャンネルが２つの別個の環境音サウンドトラックチャンネルにマトリックス符号化されると共に記録される、映画サウンドトラックを生成する方法と、３）別個のチャンネルが２つの環境音チャンネルを含み、２つの別個の環境音チャンネルが３乃至５のマトリックス符号化されたチャンネルを保持する、少なくとも５つの別個の映画サウンドトラックチャンネルに保持される映画サウンドトラックを生成する方法と、４）別個のチャンネルが２つの環境音チャンネルを含み、２つの別個の環境音チャンネルが３ないし５の環境音マトリックス符号化されたチャンネルを保持する少なくとも５つの別個の映画サウンドトラックチャンネルで保持される、映画サウンドトラックを再生する装置とが含まれる。
【００３５】
【実施形態】
２つの環境音チャンネルのみを与えるように設計されたデジタルサウンドトラックシステムで３、４又は５環境音チャンネルを再生する本発明の実施形態は、それぞれ図３、４及び５に示される。図３、４及び５には３つの主スクリーンスピーカチャンネル（Ｌ、Ｃ及びＲ）スピーカのみが示されているが、図２の方法で５つの主スクリーンスピーカチャンネル（Ｌ、ＬＣ、Ｃ、ＲＣ及びＲ）が用いられ得ることは理解されるべきである。本発明はＤｏｌｂｙ  Ｄｉｇｉｔａｌ、Ｓｏｎｙ及びＤＳＴデジタルサウンドトラックシステムに同等に適用され、それらと共に用いられ得る。本発明はまた、別個の左環境及び右環境トラックを用いる６磁気トラック７０ｍｍのような、別個のアナログサウンドトラックシステムにも用いられる。各種の図面では、同一、類似又は対応する要素を説明するために同一参照番号が用いられる。
【００３６】
図３は、本発明の３環境チャンネルの実施形態を用いる典型的な劇場１０用の理想化されたスピーカ配置を示す。Ｄｏｌｂｙ  Ｄｉｇｉｔａｌ、Ｓｏｎｙ又はＤＳＴデジタルサウンドトラック復号装置からの左環境及び右環境チャンネルオーディオ流れは、２：３マトリックスデコーダ３２のＬＴ（左全体）及びＲＴ（右全体）入力としてそれに印加される。この場合には、左環境及び右環境チャンネルオーディオ流れは、それぞれのＤｏｌｂｙ  Ｄｉｇｉｔａｌ、Ｓｏｎｙ又はＤＳＴデジタルサウンドトラックを生成する前に左環境（ＬＳ）、右環境（ＲＳ）及び中央環境（ＣＳ）オーディオ入力でマトリックス符号化される。言い換えると、ＬＳ、ＲＳ及びＣＳオーディオ入力は２つの環境オーディオ入力にマトリックス符号化され、これらの２環境オーディオ入力は、主スクリーン及びＬＦＥ入力に沿って通常のＤｏｌｂｙ  Ｄｉｇｉｔａｌ、Ｓｏｎｙ又はＤＳＴデジタルサウンドトラック符号化及び記録装置（図示せず）に印加される。デコーダ３２からの３つのデマトリックスされた環境音チャンネルＬＳ、ＲＳ及びＣＳは、それぞれ左環境スピーカ３４、右環境スピーカ３８及び中央環境スピーカ３６に印加される。環境スピーカ位置は理想化された位置に示される。通常実施では、劇場の左側壁に沿って隔置された複数の左環境スピーカが劇場の前方及び後方間の約中間位置から始まって、後方壁２８まで伸びる。右環境スピーカは、左環境スピーカ配置の鏡像の形で右側壁に沿って隔置される。中央環境スピーカは劇場の後方壁２８に沿って隔置される。
【００３７】
;7=8///&N0001=20&N0552=9&N0553=000007">図４は、本発明の４環境チャンネルの実施形態を用いる典型的な劇場１０用の理想化されたスピーカ配置を示す。Ｄｏｌｂｙ Ｄｉｇｉｔａｌ、Ｓｏｎｙ又はＤＳＴデジタルサウンドトラック復号装置からの左環境及び右環境チャンネルオーディオ流れは、２：４マトリックスデコーダ４２のＬＴ（左全体）及びＲＴ（右全体）入力としてそれに印加される。この場合には、左環境及び右環境チャンネルオーディオ流れは、それぞれのＤｏｌｂｙ Ｄｉｇｉｔａｌ、Ｓｏｎｙ又はＤＳＴデジタルサウンドトラックを生成する前に左前方環境（ＬＦＳ）、左後方環境（ＬＲＳ）右前方環境（ＲＦＳ）及び右後方環境（ＲＲＳ）オーディオ入力で４：２マトリックス符号化されている。言い換えると、ＬＦＳ、ＬＲＳ、ＲＦＳ及びＲＲＳオーディオ入力は２つの環境オーディオ入力に４：２マトリックス符号化され、これらの２環境オーディオ入力は、主スクリーン及びＬＦＥ入力に沿って通常のＤｏｌｂｙ Ｄｉｇｉｔａｌ、Ｓｏｎｙ又はＤＳＴデジタルサウンドトラック符号化及び記録装置（図示せず）に印加される。デコーダ４２からの４つのデマトリックスされた環境音チャンネルＬＦＳ、ＬＲＳ、ＲＦＳ及びＲＲＳは、それぞれ左前方環境スピーカ４４、左後方環境スピーカ４６、右前方環境スピーカ４８及び右後方環境スピーカ５０に印加される。環境スピーカ位置は理想化された位置に示される。通常実施では、劇場の左側壁に沿って隔置される複数の左前方環境スピーカが劇場の前方及び後方間の約中間位置から始まって、後方壁２８に至る中間位置まで伸びる。劇場の左側壁に沿って隔置される複数の左後方環境スピーカが、左前方環境スピーカの最後から隔置された位置から始まって、後方壁２８まで伸び、その後後方壁に沿って後方壁の中間点に近い位置まで伸びる。右前方及び右後方環境スピーカは、左環境スピーカ配置の鏡像の形で右側壁及び後方壁に沿って隔置される。
【００３８】
;7=8///&N0001=20&N0552=9&N0553=000008">図５は、本発明の５環境チャンネルの実施形態を用いる典型的な劇場１０用の理想化されたスピーカ配置を示す。Ｄｏｌｂｙ Ｄｉｇｉｔａｌ、Ｓｏｎｙ又はＤＳＴデジタルサウンドトラック復号装置からの左環境及び右環境チャンネルオーディオ流れは、２：５マトリックスデコーダ５２のＬＴ（左全体）及びＲＴ（右全体）入力としてそれに印加される。この場合には、左環境及び右環境チャンネルオーディオ流れは、それぞれのＤｏｌｂｙ Ｄｉｇｉｔａｌ、Ｓｏｎｙ又はＤＳＴデジタルサウンドトラックを生成する前に左前方環境（ＬＦＳ）、左後方環境（ＬＲＳ）、右前方環境（ＲＦＳ）、右後方環境（ＲＲＳ）及び中央環境（ＣＳ）オーデイオ入力で５：２マトリックス符号化されている。言い換えると、ＬＦＳ、ＬＲＳ、ＲＦＳ及びＲＲＳオーディオ入力は２つの環境オーディオ入力に５：２マトリックス符号化され、これらの２環境オーディオ入力は、主スクリーン及びＬＦＥ入力に沿って通常のＤｏｌｂｙ Ｄｉｇｉｔａｌ、Ｓｏｎｙ又はＤＳＴデジタルサウンドトラック符号化及び記録装置（図示せず）に印加される。デコーダ５２からの５つのデマトリックスされた環境音チャンネルＬＦＳ、ＬＲＳ、ＲＦＳ、ＲＲＳ及びＣＳはそれぞれ左前方環境スピーカ４４、左後方環境スピーカ４６、右前方環境スピーカ４８及び右後方環境スピーカ５０及び中央環境スピーカに印加される。環境スピーカ位置は理想化された位置に示される。通常実施では、劇場の左側壁に沿って隔置される複数の左前方環境スピーカが劇場の前方及び後方間の約中間位置から始まって、後方壁２８に至る中間位置まで伸びる。劇場の左側壁に沿って隔置される複数の左後方環境スピーカが、左前方環境スピーカの最後から隔置された位置から始まって、後方壁２８まで伸びる。右前方及び右後方環境スピーカは、左環境スピーカ配置の鏡像の形で右側壁及び後方壁に沿って隔置される。
【００３９】
本発明は、３、４又は５環境音が、３デジタル映画サウンドトラックシステムで利用可能な別個の２環境チャンネルに符号化されることに関して記載されるが、３環境チャンネルが最適と考えられ得る。これには幾つかの理由がある。第１に、人の耳は頭の後方向には比較的に無感覚でありかつ多数の音源方向を分解することはできない。第２に、環境チャンネル数が増加するにつれて、通常各チャンネルを伝えるスピーカ数は減少される（同一数のスピーカが利用可能な数の環境チャンネル間に分割される）。特定の環境音チャンネルに専用されるスピーカバンクが少なくなって点源になる傾向があるので、聴取者の注意は映画スクリーンから多分一層散らされるであろう。さらに、聴取者が物理的に特定の環境チャンネルに密接して座るので、そのチャンネルからの音声は他の環境チャンネル用の音声を伝える他の環境スピーカから来る音を隠蔽する傾向がある。３環境チャンネルは、大抵の実際的劇場環境で隠蔽問題が悪化するのを防止する最適数であり得る。
【００４０】
左環境及び右環境トラックが３つの環境音チャンネルでマトリックス符号化されるデジタルサウンドトラックを生成する場合には、ＭＰ４：２符号化マトリックスは符号化マトリックスの環境入力に入力を加えないことによって３：２マトリックスとして用いられるのが望ましい。ＭＰ３：２マトリックスは以下の関係式によって限定される。
【００４１】
ＬＴ＝Ｌ＋０．７０７Ｃ                               （式１）
ＲＴ＝R＋０．７０７Ｃ                                （式２）
ここでＬは左チャンネル信号、Ｒは右チャンネル信号、Ｃは中央チャンネル信号、Ｓは環境チャンネル信号である。従って、マトリックエンコーダ出力信号は３つの源信号の加重和である。ＬＴ及びＲＴはマトリックス出力信号である。
【００４２】
ＭＰ２：３復号マトリックスは以下の関係式で限定される。
【００４３】
Ｌ＝ ＬＴ （式３）
Ｒ＝ ＲＴ （式４）
Ｃ’＝（ＬＴ＋ＲＴ）/√２ （式５）
ここでＬは復号された左チャンネル信号、Ｒは復号された右チャンネル信号、Ｃは復号された中央チャンネル信号である。従って、マトリックスデコーダの出力信号は３：２エンコーダマトリックス出力信号ＬＴ＋ＲＴの加重和を形成する。
【００４４】
３：２：３マトリックス配置の知られた欠点のために、復号マトリックスからの出力信号Ｌ、Ｒ、Ｃ’及びＳ’は符号化マトリックスへの対応する４入力信号とは正確には一致しない。これは、式１及び２からのＬ、Ｃ及びＲの加重値を式３乃至５に代入することによって容易に証明される。
【００４５】
Ｌ＝ ＬＴ＋０．７０７Ｃ                            （式３ａ）
Ｒ＝ ＲＴ＋０．７０７Ｃ                            （式４ａ）
Ｃ’＝（ＬＴ＋ＲＴ）/√２＝Ｃ＋０．７０７（Ｌ＋Ｒ） （式５a）
【００４６】
クロストーク成分（Ｌ信号などの０．７０７Ｃ）は望ましくないが、基本的３：２：３マトリックス技術の限界である。２：３ＭＰマトリックスデコーダの性能を改良する好ましい研究方法は米国特許第５，０４６，０９８号に記載されている。同０９８特許及びその親の米国特許第４，７９９，２６０号は、Ｄｏｌｂｙ  Ｐｒｏ  Ｌｏｇｉｃ  デコーダとして知られる能動マトリックスデコーダの基本的成分に向けられる。
【００４７】
図６は、３：２エンコーダとして構成された従来の先行技術のＤｏｌｂｙ  ＭＰ  Ｍａｔｒｉｘ  エンコーダの理想化された機能構成図である。同エンコーダは、別個の３入力信号、即ち、左、中央及び右（Ｌ、Ｃ、Ｒ）信号を受容し、２つの最終出力、即ち、左全体及び右全体出力（Ｌｔ及びＲｔ）を作り出す。Ｃ入力は平等に分割され、一定の音響パワーを維持するためにレベルを３ｄB下げてL及びR入力と合算される。
【００４８】
符号化された左全体（Ｌｔ）及び右全体（Ｒｔ）信号は下式で表される。
【００４９】
Ｌｔ＝L＋０．７０７Ｃ
Ｒｔ＝Ｒ＋０．７０７Ｃ
ここでＬは左入力信号、Ｒは右入力信号、Ｃは中央入力信号である。
【００５０】
Ｄｏｌｂｙ３：２ＭＰマトリックスエンコーダで符号化されるオーディオ信号は、Ｄｏｌｂｙ Ｓｕｒｒｏｕｎｄデコーダ、即ち、受動的環境デコーダ又はＤｏｌｂｙ Ｐｒｏ Ｌｏｇｉｃデコーダ、即ち、能動的環境デコーダで復号され得る。受動的デコーダは、オーディオマトリックスに内在するクロストーク制約のためにすべての聴取者位置につき正確に音声を配置させるためにその能力が限定される。Ｄｏｌｂｙ Ｐｒｏ Ｌｏｇｉｃ 能動デコーダは、そのようなクロストーク成分を抑制する指向性増強技術を用いる。能動的環境デコーダが用いられ得るが、;7=8///&N0001=20&N0552=9&N0553=000006">図３及び４実施形態のデコーダ３２及び４２はそれぞれＤｏｌｂｙ Ｐｒｏ Ｌｏｇｉｃ能動デコーダ（もし、Ｐｒｏ Ｌｏｇｉｃ２：４デコーダが用いられるならば、出力が環境出力からとられることはない）であることが望ましい。ドルビー社で製造される職業用劇場プロセッサはそのようなＤｏｌｂｙ Ｐｒｏ Ｌｏｇｉｃデコーダ（即ち、Ｄｏｌｂｙ ＣＰ４５、Ｄｏｌｂｙ ＣＰ６５及びＤｏｌｂｙ ＣＰ５００Ｃｉｎｅｍａ Ｐｒｏｃｅｓｓｏｒ）を含む。
【００５１】
図７は、Ｄｏｌｂｙ  ＭＰマトリックス符号化された信号を復号できる受動環境デコーダの理想化された機能構成図である。レベル及びチャンネルバランス訂正を除けば、Ｌｔ入力信号は無修正で通過して左出力になる。Ｒｔ入力信号も同様に右出力信号になる。Ｌｔ及びＲｔもまた中央信号Ｃを保持し、同信号はＬｔ及びＲｔを単純に加算することによって生成される。受動的デコーダもまた使用され得るが、３つの復号された環境音チャンネル間の分離性を高めるためにＤｏｌｂｙ  Ｐｒｏ  Ｌｏｇｉｃデコーダ（３：２デコーダとして構成された）が用いられるのが望ましい。
【００５２】
本発明の４：２：４オーディオマトリックスシステムでＭＰマトリックスが用いられるのは望ましくない。その理由は４：２：４ＭＰマトリックス本来のダイヤモンド形状は、チャンネル（Ｌ/Ｃ/Ｒ）の３つがスクリーンに位置付けられるダイヤモンド形状配置に適するように設計されるからである。その代わりに、４：２：４マトリックス実施形態では“ＱＳ”（又はその代わりに“ＳＱ”）マトリックスシステムを用いるのが望ましい。“ＱＳ”及び“ＳＱ”システムは、それぞれＳａｎｓｕｉ及びＣＢＳによって１９７０年代に導入された２つの競合する４チャンネル方式音声システムの基本であった。両システムの詳細は当業界ではよく知られている｛例えば、「４チャンネル方式選集」、即ち、Audio Engineering Society 1975 及びそこに記載された記事、特に、ジョンエムイーグルによる「多重チャンネルステレオ概観」（John M. Eagle, pp. 94-101）、ベンジャミンビーバウワ他による「４チャンネルマトリックス展望」（Benjamin B. Bauer, et al of CBS, pp. 102-110）、イトウによる「両立性４チャンネルマトリクス化に関する国際符号化標準提案」（R. Itoh of Sansui, pp. 125-131）及び ジョンイーグルによる「４-２-４マトリックスシステム、標準、実施及互換性」（John Eagle. Pp. 132-138）を参照のこと。同様に、ウッドワードによる「４チャンネル概観」（J. G. Woodward, Journal of the Audio Engineering Society, October/November 1977, Vol. 25, No. 10/11, pp. 843-854）及びその引用文献を参照のこと｝。ＱＳ及びＳＱでは共に正方形状配置、即ち、;7=8///&N0001=20&N0552=9&N0553=000007">図４のように配置された環境チャンネルにより適した配置が用いられる。３：２：３実施形態の場合と同様に、受動的２：４デコーダは低減された性能で用いられ得るが、４：２：４実施形態の２：４デコーダでは能動的デコーダが用いられるのが望ましい。当業界では多くのＱＳ及びＳＱデコーダが知られている。
【００５３】
図５実施形態の２：５デコーダ５２に関しては、このようなデコーダは相補的５：２エンコーダと共に当業界では周知である。そのような５：２：５マトリックス符号化及び復号デコーダは、米国特許第５，３１９，７１３号及びジェームスウオラーによる「円形環境５．２．５  ５チャンネル環境システム白書」（James K. Waller, Jr. インターネットhttp://www.surround.net.whitepap.html）に記載されている。
【００５４】
本発明はこれまでＤｏｌｂｙ  Ｄｉｇｉｔａｌ、Ｓｏｎｙ  ＳＤＤＳ及びＤＳＴ映画サウンドトラックシステムに関連して記載されたてきが、本発明がこれらのシステム又はそれらの提示フォーマットに限定されないことは理解されるべきである。本発明は、なお今後開発されるべき他のフォーマットに関連して用いられかつ既知及び将来の提示フォーマットとの製作に関連して用いられ得る。例えば、本発明は提示フォーマットが製作されるマスター記録物の製作に関連して用いられ得る。
【００５５】
従って、概して本発明は少なくとも５つの別個の映画サウンドトラックチャンネルを保持する媒体に用いられ、そこでは別個のチャンネルが別個の２つの環境音チャンネルを含み、別個の２つの環境音チャンネルは３ないし５環境音マトリックス符号化されたチャンネルを保持する。別個の映画チャンネルはデジタルフォーマットの形で媒体に保持され、その場合媒体は以下の任意のものでよい。即ち、デジタル情報を表す光学的に記録されたシンボルを有する映画フィルムであって、同デジタル情報がまた前記別個の映画サウンドトラックチャンネル（例としてはＤｏｌｂｙ  Ｄｉｇｉｔａｌ及びＳｏｎｙ  ＳＤＤＳの提示フォーマットが含まれる）（例えば、米国特許第５，５４４，１４０、５，６２１，４８９、５，６３９，５８５及び５，７１０，７５２を参照のこと）を表す映画フィルム、デジタル情報を表す、ディスク表面に刻印されたくぼみ（ピット）を有する光学ディスクであって、同デジタル情報がまた別個の映画サウンドトラックチャンネルを表す光学ディスク、デジタル情報を表す、ディスク表面に刻印されたくぼみ（ピット）を有する光学ディスクであって、同デジタル情報がまた別個の映画サウンドトラックチャンネルを表し、そこでは光学ディスクがコンパクトディスク（例えば、ＤＳＴシステムの提示フォーマットを含む）である光学ディスク、デジタル情報を表す、磁気的に方向付けられた粒子を有する磁気光学ディスクあって、同デジタル情報がまた別個の映画サウンドトラックチャンネルを表す磁気光学ディスク又はデジタル情報を表す、磁気的に方向付けられた粒子を有する磁気テープあって、同デジタル情報がまた別個の映画サウンドトラックチャンネルを表す磁気テープのいずれの媒体でもよい。
【００５６】
別個の映画チャンネルは、アナログフォーマットの形の媒体に保持され、その場合媒体は以下の任意のものでよい。即ち、アナログ情報を表す磁気的に方向づけられた粒子のトラックを有する、１つ又はそれ以上の磁化可能な被覆物を有する映画フィルムであって、各トラックが別個の映画サウンドトラックチャンネルを保持する映画フィルム又はアナログ情報を表す磁気的に方向づけられた粒子のトラックを有する磁気テープであって、各トラックが別個の映画サウンドトラックチャンネルを保持する磁気テープのいずれかでよい。
【００５７】
既に列記したあらゆる場合において、別個の２つの環境音チャンネルがマトリックス復号することなしに再生されるときには、両立性再生のために環境音チャンネルはマトリックス符号化されるのが望ましい。従って、逆方向両立性が保有される。両立性２チャンネル再生を維持するために要する位相関係は当業界ではよく知られている。
【００５８】
本発明による映画サウンドトラックの記録は、１）少なくとも３つの主スクリーン音声チャンネル及び３ないし５環境音チャンネルに関する音声情報をミキシングし、２）３乃至５環境音チャンネルを２つのマトリックス符号化された環境音チャンネルにマトリックス符号化し、３）少なくとも３つの主スクリーン音声チャンネル及びそれぞれ別個のサウンドトラックチャンネルの２つのマトリックス符号化された環境音チャンネルを記録することによって行われ得る。適切なミキシング技術は業界では周知である。既に述べたとおり、３つの環境音チャンネルの場合におけるマトリックス符号化に関しては、Ｄｏｌｂｙ  ＭＰ符号化マトリックスが用いられるのが望ましく、４環境音チャンネルの場合にはＱＳマトリックスが用いられるのが望ましく、また、５環境音チャンネルの場合には任意の適切な既知の５：２：５マトリックスシステムの符号化マトリックスが用いられ得る。別個のサウンドトラックの音声チャンネルを記録する技術は、業界では知られている（例えば、米国特許第５，４５３，８０２、５，６００，６１７及び５，６３９，５８５を参照のこと）。
【００５９】
本発明による映画サウンドトラックを製作する場合には、マスタ記録の前又は後でマトリックス符号化が行われる。マスタ記録の後でマトリックス符号化が行われる場合には、映画サウンドトラックの製作は、１）少なくとも３つの主音声チャンネル及び３ないし５環境音チャンネルにつき音声情報をミキシングし、２）それぞれ別個のチャンネルの主音声チャンネル及び環境音チャンネルをマスタ記録物に記録し、３）マスタ記録から主音声チャンネル及び環境音チャンネルを再生し、４）３ないし５環境音チャンネルを２つのマトリックス符号化された環境音チャンネルにマトリックス符号化することによって行われ得る。マスタ記録は、例えば、上記の任意のデジタルフォーマットを用いたデジタルか若しくは、例えば、上記の任意のアナログフォーマットを用いたアナログでよい。
【００６０】
映画サウンドトラックを製作するさらなる段階は、５）デジタル情報を表す光学シンボルを生成し、同デジタル情報がまた、それぞれマスタ記録から再生された主音声チャンネル及びマスタ記録から再生された環境音チャンネルから符号化された２つのマトリックス符号化された環境音チャンネルに応答して別個の映画サウンドトラックチャンネルを表すようにし、６）マスタ音声ネガフィルムプリントを生成するために光学シンボルを映画フィルム上に写真的にプリントすることを含む。光学プリントを生成することは、前記特許第５，５４４，１４０号、５，５８３，９６２号、５，７１０，７５２号及び５，７５７，４６５号に記載されるＤｏｌｂｙ  Ｄｅｇｉｔａｌシステムによるように行われるのが望ましい。その代わりに、光学シンボルはＳｏｎｙ  ＳＤＤＳシステムによるように生成され得る。マスタ音声ネガフィルムプリントを生成するためにそのようなシンボルを映画フィルム上にプリントする技術は当業界では周知である。
【００６１】
その代わりに、映画サウンドトラックを製作するさらなる段階は、それぞれ、マスタ記録から再生された主音声チャンネル及びマスタ記録から再生された環境音チャンネルから符号化された２つのマトリックス符号化された環境音チャンネルに応答して、別個の映画サウンドサウンドトラックチャンネルを表すデジタル符号化されたオーディオ情報を生成することを含む。オーディオ情報をデジタル符号化しかつ符号化された情報を光学ディスク上に符号化する技術は当業界では周知である。
【００６２】
既に注記した通り、マトリックス符号化はマスタ記録を記録する前又は後で行われ得る。上で説明した特定の段階に関する記載はまた、以下で論じられる対応する段階にも適用されることは理解されるべきである。マスタ記録を記録する前にマトリックス符号化が行われる場合映画サウンドトラックは、１）少なくとも３つの主音声チャンネル及び３乃至５の環境音チャンネルに関する音声情報をミキシングし、２）３ないし５の環境音チャンネルを２つのマトリックス符号化された環境音チャンネルにマトリックス符号化し、主音声チャンネル及び２つのマトリックス符号化された環境音チャンネルを別個のチャンネルの形でそれぞれマスタ記録物上に記録することによって製作される。
【００６３】
映画サウンドトラックを製作するさらなる段階は、４）デジタル情報を表す光学シンボルを生成し、同デジタル情報がまた、それぞれ主音声チャンネル及び主記録上に記録された２つのマトリックス符号化された環境音チャンネルに応答して、別個の映画サウンドトラックチャンネルを表すようにし、５）マスタ音声ネガフィルムプリントを生成するために映画フィルム上に光学シンボルを写真的にプリントすることを含む。
【００６４】
その代わりに、映画サウンドトラックを製作するさらなる段階は、それぞれ、主音声チャンネル及び前記マスタ記録に記録された２つのマトリックス符号化された環境音チャンネルに応答して、別個の映画サウンドトラックチャンネルを表すデジタル符号化されたオーディオ情報を含む光学ディスクを製作することを含み得る。
【００６５】
マスタ記録を記録する前又は後でマトリックス符号化がなされようがなされまいが、マスタ記録は以下の任意のものでよい。即ち、１）磁気光学ディスク記録物（これはＤｏｌｂｙ  Ｄｉｇｉｔａｌサウンドトラックを製作するのに望ましい）、２）記録された情報がデジタル情報を表す磁気テープ記録物、３）記録された情報がアナログ情報を表すフィルム記録上の磁気ストライプ（テープ）又は４）記録された情報がアナログ情報を表す磁気テープ記録物の任意のものでよい。
【００６６】
合成映画フィルムプリントは、マスタ音声ネガフィルムプリント及びマスタ画素ネガフィルムプリントから作られ得る。当業界ではそれを行う各種の技術が周知である。
【図面の簡単な説明】
【図１】  映画劇場の概略平面図であり、Ｄｏｌｂｙ  Ｄｉｇｉｔａｌ及びＤＳＴデジタルサウンドトラックによって与えられるような理想化された左（Ｌ）、中央（Ｃ）、右（Ｒ）、左環境（ＬＳ）及び右環境（ＲＳ）映画サウンドトラックを示す。
【図２】  映画劇場の概略平面図であり、Ｓｏｎｙ  ＳＤＤＳデジタルサウンドトラックによって与えられるような理想化された左（Ｌ）、左中央（ＬＣ）、中央（Ｃ）右中央（ＲＣ）、右（Ｒ）、左環境（ＬＳ）及び右環境（ＲＳ）映画サウンドトラックを示す。
【図３】  本発明の３環境チャンネル実施形態による理想化されたスピーカ配置を示す映画劇場の概略平面図である。
【図４】  本発明の４環境チャンネル実施形態による理想化されたスピーカ配置を示す映画劇場の概略平面図である。
【図５】  本発明の５環境チャンネル実施形態による理想化されたスピーカ配置を示す映画劇場の概略平面図である。
【図６】  ３：２エンコーダとして構成された従来の先行技術Ｄｏｌｂｙ  ＭＰ  Ｍａｔｒｉｘ  エンコーダの理想化された機能構成図である。
【図７】  Ｄｏｌｂｙ  ＭＰマトリックス符号化された信号を復号できる受動的環境２：３でコーダの理想化された機能構成図である。
【図１】
0004424849.tif 000002
【図２】
0004424849.tif 000003
【図３】
0004424849.tif 000004
【図４】
0004424849.tif 000005
【図５】
0004424849.tif 000006
【図６】
0004424849.tif 000007
【図７】
0004424849.tif 000008